(57)【特許請求の範囲】
【請求項１】
容器本体の開口を覆って前記容器本体を封止する蓋材であって、
前記蓋材は、前記容器本体の前記開口の外縁のフランジに接着される下部シートと、前記下部シートの上に積層される上部シートとからなり、
外縁の一部に接続された剥離用タブを備え、
前記蓋材の前記下部シート側には、
前記剥離用タブの近傍の領域において、複数の環状のハーフカットが設けられ、
前記環状のハーフカットが設けられている領域より前記剥離用タブ側の領域において、前記下部シートを横断する第１ハーフカットが設けられ、
前記第１ハーフカットと前記環状のハーフカットが設けられている領域との間の領域において、前記第１ハーフカット及び前記蓋材の外縁に接続しない少なくとも１本の第２ハーフカットが設けられており、
前記第１ハーフカットと前記環状のハーフカットが設けられている領域との間の領域において、前記蓋材の外縁に接続するハーフカットは設けられていない、蓋材。
【請求項２】
前記第２ハーフカットの両端の延長は、前記第１ハーフカットと交差する、請求項１に記載の蓋材。
【請求項３】
前記第１ハーフカットは、前記蓋材の前記剥離用タブの外縁に向かって凸形状を有する、請求項１又は２に記載の蓋材。
【請求項４】
前記第２ハーフカットは、前記第１ハーフカットの反対側に向かって凸形状を有する、請求項３に記載の蓋材。
【請求項５】
開口が設けられている容器本体と、
前記容器本体の前記開口を覆う請求項１から４のいずれかに記載の蓋材とを備える、包装容器。
【発明の詳細な説明】
【技術分野】
【０００１】
本発明は、食品等が収められた容器本体を封止するための蓋体と、その蓋体を含む容器とに関する。
【背景技術】
【０００２】
即席焼きそば等の即席の食品は包装容器に収められて販売され、ユーザはその食品を購入し、包装容器の内部に熱湯を注いで加熱、湯戻しすることによりその食品を調理して食する。即席の焼きそばを調理する場合、包装容器の内部に熱湯を注いで加熱調理を行った後、包装容器から湯を排出する必要がある。そのため、即席の焼きそばが収められた包装容器は、包装容器から湯を排出するため湯切り孔が現出する構造が設けられた蓋材を有している。
【０００３】
蓋材は上部シートと下部シートとを有しており、複数個の環状のハーフカットが下部シート側に設けられている。下部シートの環状のハーフカットが設けられている領域に重ねられる上部シート領域は、剥離可能な状態で下部シートに接着されている。
【０００４】
環状のハーフカットが設けられている領域の近傍の外縁にはタブが設けられている。タブの近傍には、上部シートを下部シートから剥離させるために、剥離開始位置としてハーフカットが下部シート側に設けられている。ユーザ（消費者等）は、タブをつまみ、上部シートを下部シートから剥離する。これにより、環状のハーフカットに囲まれた下部シートの領域が、上部シートに随伴して離脱し湯切り孔が現れ、ユーザは包装容器に注いだ湯を包装容器から排出することができる。
【０００５】
製造時において、剥離開始位置となるハーフカットの位置がばらついたり、蓋材を容器本体に接着させる際のヒートシールにおいて位置ずれが発生したりすることにより、ハーフカットの位置が容器本体に対してばらつく場合がある。その場合、蓋材の剥離エラーが発生することがある。剥離エラーを回避するために、互いに交差しない複数のハーフカットを下部シートに設けて、いずれかのハーフカットを有効に機能させる技術が提案されている（例えば、特許文献１参照）。
【先行技術文献】
【特許文献】
【０００６】
【特許文献１】特開２００３−２７６７５３号公報
【発明の概要】
【発明が解決しようとする課題】
【０００７】
このような蓋材の平面図を図９に示す。図９において示すように、蓋材６の下部シート側に形成された２つのハーフカットのうち、内側のハーフカット６１の両端が蓋材６の外縁に位置しており、外側のハーフカット６２の両端が蓋材６の外縁より内側に位置している。内側のハーフカット６１及び外側のハーフカット６２が容器本体のフランジ上に位置している場合、外側のハーフカット６２が剥離開始位置となることにより上部シートが下部シートから剥離された後に、その剥離の向きと反対の向きに蓋材６が容器本体から剥離されるとき、内側のハーフカット６１と外側のハーフカット６２とによって囲まれた領域６３がフランジ上に残る。
【０００８】
図１０に他の蓋材の例を示す。図１０は、蓋材７の上面のタブ部分近傍を示している。図１０の（Ａ）に示すように、蓋材７の下部シート側には、内側のハーフカット７１及び外側のハーフカット７２が平行に設けられており、加えて両方のハーフカットの両端が蓋材７の外縁に位置している。両方のハーフカットが容器本体のフランジ上に位置している場合、外側のハーフカット７２が剥離開始位置となることにより上部シートが蓋材７から剥離された後に、その剥離の向きと反対の向きに蓋材７が容器本体から剥離されるとき、図１０の（Ｂ）に示すように、内側のハーフカット７１と外側のハーフカット７２とによって囲まれた領域７３がフランジ１１上に残る。このように、下部シートの一部がフランジ１１上に残ると、美観を損なうだけでなく、不衛生となるおそれがある。
【０００９】
本発明は、一部を剥離して開封する構造を有する蓋材において、開封時に容器本体に蓋材の一部が残るなど残滓の発生を防止することを目的とする。
【課題を解決するための手段】
【００１０】
本発明は、容器本体の開口を覆って容器本体を封止する蓋材であって、蓋材は、容器本体の開口の外縁のフランジに接着される下部シートと、下部シートの上に積層される上部シートとからなり、外縁の一部に接続された剥離用タブを備え、蓋材の下部シート側には、剥離用タブの近傍の領域において、複数の環状のハーフカットが設けられている。そして前述の環状のハーフカットが設けられている領域より剥離用タブ側の領域において、下部シートを横断する第１ハーフカットが設けられ、第１ハーフカットと環状のハーフカットが設けられている領域との間の領域において、第１ハーフカット及び蓋材の外縁に接続しない少なくとも１本の第２ハーフカットが設けられている。また、第１ハーフカットと環状のハーフカットが設けられている領域との間の領域において、蓋材の外縁に接続するハーフカットは設けられていない。
【発明の効果】
【００１１】
本発明によれば、一部を剥離して開封する構造を有する蓋材において、開封時に容器本体に蓋材の一部が残るなど残滓の発生を防止することができる。
【図面の簡単な説明】
【００１２】
【図１】本発明の実施の形態に係る包装容器の分解斜視図
【図２】本発明の実施の形態に係る包装容器の断面図
【図３】本発明の実施の形態に係る包装容器の断面図
【図４】本発明の実施の形態に係る蓋材の図
【図５】本発明の実施例に係る蓋材の平面図および包装容器の断面図
【図６】本発明の実施例に係る蓋材の平面図
【図７】第１の比較例に係る蓋材の平面図
【図８】第２の比較例に係る蓋材の平面図
【図９】従来の蓋材の平面図
【図１０】従来の蓋材の課題を示す図
【発明を実施するための形態】
【００１３】
本発明の実施の形態を図面を参照して説明する。
【００１４】
まず、本発明の実施の形態の包装容器１００の構成を説明する。図１は本発明の実施の形態の包装容器１００の分解斜視図であり、図２は図１のＡ−Ａ´線における包装容器１００の断面図である。図１及び２に示す通り、包装容器１００は、開口が設けられている容器本体１と、容器本体１の開口を覆う蓋材２とを有する。容器本体１の形状は一例として四角錐台状であって、容器本体１は正四角形状の底部と底部各辺から立設された側面部とを有し、各側面部の上端には開口の外縁部となるフランジ１１が形成されている。
【００１５】
蓋材２は、容器本体１のフランジ１１に接着される下部シート２１と、下部シート２１の上に重ねられる上部シート２２とからなる。図１及び図２に示す通り、蓋材２の外縁の一部には、剥離用タブである第１タブ２ａが設けられており、その対角の位置の外縁には、第２タブ２ｂが設けられている。
【００１６】
加えて、蓋材２の、第１タブ２ａの近傍の内側領域における下部シート２１には、複数個の環状のハーフカット２ｃが形成されている。更に、前述の下部シート２１には、前述のハーフカット２ｃが設けられている領域より第１タブ２ａ側の領域において、第１ハーフカット２ｄが形成されている。第１ハーフカット２ｄは、蓋材２の第１タブ２ａの外縁に向かって凸形状を有する。更にまた、前述の下部シート２１には、前述の第１ハーフカット２ｄと前述のハーフカット２ｃとが形成されている間の領域において、第１ハーフカット２ｄおよび蓋材２の外縁のいずれにも連接しない形で第２ハーフカット２ｅが形成されている。第２ハーフカット２ｅの両端は、蓋材２の外縁から例えば１ｍｍ以上離れている。
【００１７】
蓋材２の、環状のハーフカット２ｃが設けられている領域は、少なくとも上部シート２２と下部シート２１とが剥離可能な状態で接着され、他の領域は、上部シート２２と下部シート２１とが剥離困難な強度で接着されていればよい。上部シート２２に、剥離可能領域と接着領域との境界においてハーフカットを設けてもよい。また上部シート２２と下部シート２１とを全面に亘って剥離可能に設けてもよい。
【００１８】
次に、本発明の実施の形態の包装容器１００の使用方法の一例を説明する。焼きそば用の麺が包装容器１００の容器本体１に収められ、蓋材２の下部シート２１を容器本体１のフランジ１１に接着することにより、容器本体１の開口が蓋材２によって覆われている。
【００１９】
ユーザは、まず、蓋材２の第２タブ２ｂをつまんで、上方に引っ張ることで、蓋材２の一部を容器本体１から剥離する。これにより、包装容器１００の一部が開封される。同時にユーザは、包装容器１００に同梱されている調味料を取り出す。図３は、一部が開封された状態の包装容器１００の断面図である。
【００２０】
そして、ユーザは、包装容器１００の開封された部分から、容器本体１の内部に熱湯を注ぎ、蓋材２をもとの位置に戻して閉蓋する。これにより、前述の蓋材２の一部を開封することによって出現した容器本体１の開口が再び覆われる。
【００２１】
続いて、ユーザは、熱湯を注いで再封し焼きそば用等の麺を湯戻しするための時間が経過した後、蓋材２の第１タブ２ａをつまんで、上方に引っ張ることで、ハーフカット２ｃが設けられている領域において、上部シート２２は、第１ハーフカット２ｄ又は第２ハーフカット２ｅのいずれかを剥離開始位置として下部シート２１から剥離される。この際、下部シート２１のハーフカット２１ｃに囲まれた領域は、上部シート２２に随伴して離脱し、複数個の湯切り孔が現れる。ユーザは、容器本体１の内部の湯を前述の湯切り孔から包装容器１００の外部に排出する。
【００２２】
最後に、ユーザは、蓋材２の第２タブ２ｂをつまみ、蓋材２全体を容器本体１から剥離し調味料と混ぜ合わせることで、ユーザが焼きそばを食することができる状態になる。
【００２３】
ユーザが第１タブ２ａをつまんで上部シート２２を剥離する際、上部シート２２は第１ハーフカット２ｄ又は第２ハーフカット２ｅのいずれかを剥離開始位置として下部シート２１から剥離される。
【００２４】
上部シート２２が第２ハーフカット２ｅを剥離開始位置として容器本体１から剥離された場合、最終的に蓋材２全体が容器本体１から剥離されるとき、容器本体１のフランジ１１には下部シート２１は全く残らない。
【００２５】
他方、上部シート２２が第１ハーフカット２ｄを剥離開始位置として下部シート２１から剥離された場合、最終的に蓋材２全体が容器本体１から剥離されるとき、容器本体１のフランジ１１には、下部シート２１の第１ハーフカット２ｄと第２ハーフカット２ｅとによって挟まれる領域が残されるようにも思われる。しかし、第２ハーフカット２ｅの両端は下部シート２１の外縁には連接（接続）していないため、下部シート２１の第１ハーフカット２ｄと第２ハーフカット２ｅとによって挟まれる領域は、孤立しておらず、下部シート２１の第２タブ２ｂが設けられている領域と連続している。そのため、蓋材２が容器本体１から最終的に剥離されるとき、下部シート２１の第１ハーフカット２ｄと第２ハーフカット２ｅとによって挟まれる領域は、第２タブ２ｂをつまんで蓋材２を剥離する際、他の領域とともに容器本体１から剥離される。すなわち、容器本体１のフランジ１１には下部シート２１は全く残らない。
【００２６】
その際、第２ハーフカット２ｅの両端の延長部分は、第１ハーフカット２ｄと交差するのが好ましい。これにより、第２タブ２ｂをつまんで蓋材２を剥離する際、仮に第２ハーフカット２ｅの端部から下部シート２１の破断が発生しても、破断が蓋材２の外縁に達する前に、第２タブ２ｂからの引っ張り力が、第１ハーフカット２ｄに伝わり、第１ハーフカット２ｄからの剥離が開始されるため、容器本体１のフランジ１１に下部シート２１が残る事態を回避できる。
【００２７】
上述した実施の形態では、第２ハーフカット２ｅは下部シート２１の第１ハーフカット２ｄに対して平行な直線状となっている。しかしながら、第２ハーフカット２ｅは、第１タブ２ａと反対側の第２タブ２ｂに向かって凸形状を有していてもよいし、直線状であってもよい。
【００２８】
上述した実施の形態では、下部シート２１には、第１ハーフカット２ｄと第２ハーフカット２ｅとが設けられている。しかしながら、蓋材２には、下部シート２１の第２ハーフカット２ｅと環状のハーフカット２ｃが設けられている領域との間の領域において、１つ又は２つ以上のハーフカットが更に設けられていてもよい。図４は、第２ハーフカット２ｅと環状のハーフカット２ｃが設けられている領域との間の領域において、第３ハーフカット２ｆが設けられている蓋材２の平面図である。
【００２９】
なお、上述した実施の形態では、容器本体１の形状は四角錐台状であるが、容器本体１の形状はこれに限定されず、円錐台等であってもよい。同様に、蓋材２は容器本体１の開口を覆うものであればよく、四角形状以外の形状であってもよい。
【実施例】
【００３０】
以下に、本発明の実施例を説明する。
（実施例１）
第１の実施例は、図４に示した蓋材２である。蓋材２は、上部シート２２として、紙（１０４．７ｇ／ｍ2）、ポリエチレン（２０μｍ）を、下部シート２１としてポリエチレンテレフタレート（１２μｍ）、アルミニウム（９μｍ）及び押出シーラント（２０μｍ）の各層を積層することによって構成されている。
【００３１】
蓋材２は、容器本体１のフランジ１１に接着される下部シート２１と、下部シート２１の上に重ねられる上部シート２２とからなる。蓋材２の外縁の一部には、第１タブ２ａが設けられており、その対角の位置の外縁には、第２タブ２ｂが設けられている。
【００３２】
第１タブ２ａの近傍の内側領域における下部シート２１には、複数個の環状のハーフカット２ｃが形成されている。更に、前述の下部シート２１には、前述のハーフカット２ｃが設けられている領域より第１タブ２ａ側の領域において、第１ハーフカット２ｄが形成されている。第１ハーフカット２ｄは、蓋材２の第１タブ２ａの外縁に向かって凸形状を有する。更にまた、前述の下部シート２１には、前述の第１ハーフカット２ｄと前述のハーフカット２ｃとが形成されている間の領域において、第１ハーフカット２ｄおよび蓋材２の外縁のいずれにも連接しない形で直線状の第２ハーフカット２ｅが形成されている。第２ハーフカット２ｅの両端は、蓋材２の外縁から例えば１ｍｍ以上離れている。また、下部シート２１には、第２ハーフカット２ｅと環状のハーフカット２ｃが設けられている領域との間の領域において、第２ハーフカット２ｅに平行、かつ、蓋材２の外縁に連接しない、直線状の第３ハーフカット２ｆが設けられている。
【００３３】
蓋材２の、環状のハーフカット２ｃが設けられている領域は、上部シート２２と下部シート２１とが剥離可能な状態で接着され、他の領域は、上部シート２２と下部シート２１とが剥離困難な強度で接着されている。
【００３４】
（実施例２）
図５の（Ａ）は、第２の実施例に係る蓋材３の平面図である。図５の（Ｂ）は、蓋材３を、円錐台状の容器本体１にヒートシールして包装容器１００を形成した際の、図５の（Ａ）に示すＢ−Ｂ´線に沿った断面図である。蓋材３は、直径が１６６ｍｍの円形状のシートである。
【００３５】
蓋材３は、上部シート３２として、紙（１０４．７ｇ／ｍ2）、ポリエチレン（２０μｍ）を、下部シート３１としてポリエチレンテレフタレート（１２μｍ）、アルミニウム（９μｍ）及び押出シーラント（２０μｍ）の各層を積層することによって構成されている。
【００３６】
蓋材３は、容器本体１のフランジ１１に接着される下部シート３１と、下部シート３１の上に重ねられる上部シート３２とからなる。蓋材３の外縁の一部には、第１タブ３ａが設けられており、蓋材３の中心に関して第１タブ３ａと対称の位置の外縁には、第２タブ３ｂが設けられている。
【００３７】
第１タブ３ａの近傍の内側領域における下部シート３１には、複数個の環状のハーフカット３ｃが形成されている。更に、前述の下部シート３１には、前述のハーフカット３ｃが設けられている領域より第１タブ３ａ側の領域において、第１ハーフカット３ｄが形成されている。第１ハーフカット３ｄは、蓋材３の第１タブ３ａの外縁に向かって凸形状を有する。更にまた、前述の下部シート３１には、前述の第１ハーフカット３ｄと前述のハーフカット３ｃとが形成されている間の領域において、第１ハーフカット３ｄおよび蓋材３の外縁のいずれにも連接しない形で第２ハーフカット３ｅが形成されている。第２ハーフカット３ｅの両端は、蓋材３の外縁から例えば１ｍｍ以上離れている。また、下部シート３１には、第２ハーフカット３ｅと環状のハーフカット３ｃが設けられている領域との間の領域において、蓋材３の外縁に連接しない、直線状の第３ハーフカット３ｆが設けられている。
【００３８】
第２ハーフカット３ｅ及び第３ハーフカット３ｆは、第１ハーフカット３ｄの反対側に向かって凸形状を有する。第２ハーフカット３ｅ及び第３ハーフカット３ｆのそれぞれの端部から第１ハーフカット３ｄまでの距離は１．５ｍｍである。また、蓋材３の上部シート３２には、上部シート３２を下部シート３１から部分剥離するための剥離停止線として、ハーフカット３ｘが形成されている。蓋材３の、環状のハーフカット３ｃが設けられ、ハーフカット３ｘによって囲まれている領域は、上部シート３２と下部シート３１とが剥離可能な状態で接着されている。他の領域は、上部シート３２と下部シート３１とが剥離困難な強度で接着されている。
【００３９】
実施例１に係る蓋材２および実施例２に係る蓋材３の各一部を図６の（Ａ）、（Ｂ）および（Ｃ）、（Ｄ）に示す。蓋材２は、四角錐台状の容器本体１にヒートシールされる。図６の（Ａ）及び（Ｂ）は、位置決め精度の誤差により、蓋材２の相異なる位置が容器本体１にシールされる様子を示す。図６の（Ａ）は外目にシールされ、第１ハーフカット２１ｄが、シールされた領域Ｐの外縁側に位置する状況を示しており、図６の（Ｂ）は内目にシールされ、第１〜第３のハーフカット２ｄ、２ｅ、２ｆがシールされた領域Ｐの外縁側に位置する状況を示している。
【００４０】
蓋材３は、円錐台状の容器本体１にヒートシールされる。図６の（Ｃ）及び（Ｄ）は、位置決め精度の誤差により、蓋材３の相異なる位置が容器本体１にシールされる様子を示す。図６の（Ｃ）は外目にシールされ、第１ハーフカット３１ｄが、シールされた領域Ｐの外縁側に位置する状況を示しており、図６の（Ｂ）は内目にシールされ、第１〜第３のハーフカット３ｄ、３ｅ、３ｆがシールされた領域Ｐの外縁側に位置する状況を示している。
【００４１】
上述の通りに製造した各実施例の蓋材２および蓋材３のシールずれに関し、剥離エラー及び容器本体への残りの有無を観察して評価した。評価結果は下記の表１の通りである。
【００４２】
（比較例）
図７は第１の比較例の蓋材４の平面図の一部であり、図８は第２の比較例の蓋材５の平面図の一部である。第１の比較例の蓋材４の下部シート側には、間を空けて第１ハーフカット４ｄ、第２ハーフカット４ｅ及び第３ハーフカット４ｆが設けられている。全てのハーフカットは直線状であって、互いに平行であり、下部シートを横断している。第２の比較例の蓋材５の下部シート側には、直線状の第１ハーフカット５ｄが下部シートを横断して設けられている。これらの点以外は、蓋材４及び５は、実施例に係る蓋材３と同様である。第１及び第２の比較例の蓋材４、５のシールずれに関しても、剥離エラー及び容器本体への残りの有無を観察して評価した。評価結果は下記の表１の通りである。
【００４３】
【表１】
0006003111.tif 000002
【００４４】
表１に示すように、第１及び第２の比較例に係る蓋材４、５では、蓋材４を内目にヒートシールした場合を除き、剥離エラー及び容器本体への残りのいずれかが認められた。これに対して、本発明の各実施例に係る蓋材２および蓋材３では、剥離エラーも容器本体への残りも認められず、本発明の効果が確認できた。
【産業上の利用可能性】
【００４５】
本発明は、食品等が収められ、開口を蓋材で封止する容器等に有用である。
【符号の説明】
【００４６】
１    容器本体
２、３、４、５、６、７    蓋材
１１    フランジ
２１、３１    下部シート
２２、３２    上部シート
２ａ、３ａ    第１タブ
２ｂ、３ｂ    第２タブ
２ｃ、３ｃ    環状のハーフカット
２ｄ、３ｄ、４ｄ、５ｄ    第１ハーフカット
２ｅ、３ｅ、４ｅ    第２ハーフカット
２ｆ、３ｆ、４ｆ    第３ハーフカット
３ｘ    ハーフカット
６１、６２、７１、７２    ハーフカット
１００    包装容器
【図１】
0006003111.tif 000003
【図２】
0006003111.tif 000004
【図３】
0006003111.tif 000005
【図４】
0006003111.tif 000006
【図５】
0006003111.tif 000007
【図６】
0006003111.tif 000008
【図７】
0006003111.tif 000009
【図８】
0006003111.tif 000010
【図９】
0006003111.tif 000011
【図１０】
0006003111.tif 000012